(57)【要約】【課題】ペンダントチェーンに窪みなどの特定形状や係止用パーツなどの備品を組み合わせることなく、ペンダントチェーン上の任意の位置にペンダントトップを係止することができるペンダントトップのチェーン支持部分の構造、並びに、当該構造を有するペンダントトップ及びペンダントを提供する。【解決手段】ペンダントトップのチェーン支持部分は、チェーン係止領域を有して、ペンダントチェーンが交互に繰り返す大外径部分と小外径部分のうち当該大外径部分よりも狭く小外径部分よりも広い開口径部分と、１つの小外径部分とその両側の大外径部分とが構成する凹部に嵌入する係止部分とを備えて、ペンダントトップがチェーン支持部分を介してペンダントチェーンの任意の位置に係止される。【選択図】図１４
2019195460.tif 000002
【特許請求の範囲】
【請求項１】
ペンダントトップをペンダントチェーンに支持するためのペンダントトップのチェーン支持部分の構造であって、
前記チェーン支持部分は、前記ペンダントチェーンを当該チェーン支持部分に係止するチェーン係止領域を有し、
前記チェーン係止領域は、前記ペンダントチェーンが交互に繰り返す大外径部分と小外径部分のうち当該大外径部分よりも狭く、且つ、当該小外径部分よりも広い開口径部分と、
前記ペンダントチェーンの１つの小外径部分とその両側の大外径部分とが構成する凹部に嵌入する係止部分とを備え、
前記ペンダントチェーンの小外径部分が、前記チェーン支持部分の前記チェーン係止領域に嵌合し、当該小外径部分の両端の大外径部分が当該チェーン係止領域に嵌入できないことにより、前記ペンダントトップが前記チェーン支持部分を介して前記ペンダントチェーンの任意の位置に係止されることを特徴とするペンダントトップのチェーン支持部分の構造。
【請求項２】
前記チェーン支持部分は、前記チェーン係止領域に加え、前記ペンダントチェーンを当該チェーン支持部分に挿通するチェーン挿通領域を有し、
前記チェーン挿通領域は、前記ペンダントチェーンが具備する１対の留め具の少なくとも一方の幅径よりも広く、且つ、当該ペンダントチェーンが有する大外径部分と小外径部分のうち当該大外径部分よりも広い開口径部分を備えていることを特徴とする請求項１に記載のペンダントトップのチェーン支持部分の構造。
【請求項３】
前記チェーン支持部分は、前記チェーン係止領域に加え、前記ペンダントチェーンを当該チェーン支持部分に挿通するチェーン挿通領域を有し、
前記チェーン挿通領域は、前記ペンダントチェーンが具備する１対の留め具の両方の幅径よりも狭く、且つ、当該ペンダントチェーンが有する大外径部分と小外径部分のうち当該大外径部分よりも広い開口径部分を備えていることを特徴とする請求項１に記載のペンダントトップのチェーン支持部分の構造。
【請求項４】
前記チェーン係止領域と前記チェーン挿通領域とが連接された１つの開口空間を構成していることを特徴とする請求項２又は３に記載のペンダントトップのチェーン支持部分の構造。
【請求項５】
ペンダントチェーンに支持されるペンダントトップであって、
当該ペンダントチェーンとの組み合わせにおいて請求項１〜４のいずれか１つに記載のペンダントトップのチェーン支持部分の構造を有することを特徴とするペンダントトップ。
【請求項６】
請求項５に記載のペンダントチェーン及びペンダントトップの組み合わせからなることを特徴とするペンダント。
【発明の詳細な説明】
【技術分野】
【０００１】
本発明は、ペンダントトップのチェーン支持部分の構造に関するものである。また、本発明は、当該チェーン支持部分の構造を有するペンダントトップ及びペンダントに関するものである。
【背景技術】
【０００２】
ペンダントは、ペンダントチェーンとペンダントトップとが別々のパーツからなる装飾品であって、ペンダントトップがペンダントチェーン上を自由に移動できるようになっている。また、ペンダントチェーンからペンダントトップを取り外すことができるものにあっては、ペンダントチェーンとペンダントトップとを自由に組み合わせて楽しむことができる。
【０００３】
しかし、従来のペンダントでは、ペンダントチェーン上をペンダントトップが自由に移動できるようになっているため、本来は背中側にあるべきペンダントチェーンの留め具（ヒキワとダルマカンなど）がその自重により正面側の下方に移動してきて、ペンダントトップと重なり合うなどの問題があった。これでは、折角の装飾品の見た目の美しさが損なわれることから、ペンダントの装着者は自ら気を付けていなければならず、また周囲の人からの指摘でその都度ペンダントチェーンの留め具の位置を直していた。
【０００４】
そこで、ペンダントチェーンの留め具の位置のずれを防止する提案が色々となされている。例えば、下記特許文献１においては、ペンダントチェーンの中央部分に窪みを設けて、この窪みにペンダントトップの支持部（バチカンなど）を引掛けてペンダントチェーンがずれないようにするというものである。
【０００５】
また、下記特許文献２においては、ペンダントチェーンに支持したペンダントトップの支持部（バチカンなど）の隣接上部にペンダントチェーンの係止用パーツを装着してペンダントチェーンがずれないようにするというものである。
【先行技術文献】
【特許文献】
【０００６】
【特許文献１】実用新案登録第３１７２４５０号公報
【特許文献２】実用新案登録第３０１９３２９号公報
【発明の概要】
【発明が解決しようとする課題】
【０００７】
ところで、上記特許文献１においては、窪みを設けた特殊なペンダントチェーンを使用しなければならず、ペンダントチェーンとペンダントトップとを自由に組み合わせて楽しむことができない。また、上記特許文献２においても、係止用パーツを有する特殊なペンダントチェーンを使用しなければならず、この場合もペンダントチェーンとペンダントトップとを自由に組み合わせて楽しむことができない。
【０００８】
また、より装飾性を追求したペンダントにおいては、１本のペンダントチェーンに２つ以上のペンダントトップを吊下げるようにしたものも企画されている。この場合には、装着者の首から正面に掛けて垂れ下がるペンダントチェーンの任意の位置、すなわち、垂れ下がる途中の位置にペンダントトップを係止する必要がある。
【０００９】
従って、この場合には、ペンダントトップの支持部をペンダントチェーンの特定の位置に固定する必要がある。これでは、ペンダントチェーンとペンダントトップとを自由に組み合わせることができず、また、ペンダントチェーン上のペンダントトップの位置を変化させて楽しむこともできない。
【００１０】
そこで、本発明は、上記の諸問題に対処して、ペンダントチェーンに窪みなどの特定形状や係止用パーツなどの備品を組み合わせることなく、ペンダントチェーン上の任意の位置にペンダントトップを係止することができるペンダントトップのチェーン支持部分の構造、並びに、当該構造を有するペンダントトップ及びペンダントを提供することを目的とする。また、ペンダントチェーンとペンダントトップとを自由に組み合わせて楽しむことができるペンダントトップのチェーン支持部分の構造、並びに、当該構造を有するペンダントトップ及びペンダントを提供することを目的とする。
【課題を解決するための手段】
【００１１】
上記課題の解決にあたり、本発明者らは、鋭意研究の結果、ペンダントチェーンを使用する状態でその外径に大外径と小外径とがあることに着目し、この部分を利用してペンダントトップを係止することにより、本発明の目的を達成できることを見出して本発明の完成に至った。
【００１２】
即ち、本発明に係るペンダントトップのチェーン支持部分の構造は、請求項１の記載によれば、
ペンダントトップ（３０）をペンダントチェーン（２０）に支持するためのペンダントトップのチェーン支持部分（５０）の構造であって、
前記チェーン支持部分は、前記ペンダントチェーンを当該チェーン支持部分に係止するチェーン係止領域（５０ａ）を有し、
前記チェーン係止領域は、前記ペンダントチェーンが交互に繰り返す大外径部分（Ｌ１）と小外径部分（Ｌ２）のうち当該大外径部分よりも狭く、且つ、当該小外径部分よりも広い開口径部分（Ｌ６）と、
前記ペンダントチェーンの１つの小外径部分とその両側の大外径部分とが構成する凹部（Ｓ）に嵌入する係止部分（５０ｃ）とを備え、
前記ペンダントチェーンの小外径部分が、前記チェーン支持部分の前記チェーン係止領域に嵌合し、当該小外径部分の両端の大外径部分が当該チェーン係止領域に嵌入できないことにより、前記ペンダントトップが前記チェーン支持部分を介して前記ペンダントチェーンの任意の位置に係止されることを特徴とする。
【００１３】
また、本発明は、請求項２の記載によれば、請求項１に記載のペンダントトップのチェーン支持部分の構造であって、
前記チェーン支持部分は、前記チェーン係止領域に加え、前記ペンダントチェーンを当該チェーン支持部分に挿通するチェーン挿通領域（５０ｂ）を有し、
前記チェーン挿通領域は、前記ペンダントチェーンが具備する１対の留め具（２２、２３）の少なくとも一方の幅径よりも広く、且つ、当該ペンダントチェーンが有する大外径と小外径のうち当該大外径よりも広い開口径部分（Ｌ５）を備えていることを特徴とする。
【００１４】
また、本発明は、請求項３の記載によれば、請求項１に記載のペンダントトップのチェーン支持部分の構造であって、
前記チェーン支持部分は、前記チェーン係止領域に加え、前記ペンダントチェーンを当該チェーン支持部分に挿通するチェーン挿通領域を有し、
前記チェーン挿通領域は、前記ペンダントチェーンが具備する１対の留め具の両方の幅径よりも狭く、且つ、当該ペンダントチェーンが有する大外径部分と小外径部分のうち当該大外径部分よりも広い開口径部分を備えていることを特徴とする。
【００１５】
また、本発明は、請求項４の記載によれば、請求項２又は３に記載のペンダントトップのチェーン支持部分の構造であって、
前記チェーン係止領域と前記チェーン挿通領域とが連接された１つの開口空間を構成していることを特徴とする。
【００１６】
また、本発明に係るペンダントトップは、請求項５の記載によれば、
ペンダントチェーンに支持されるペンダントトップであって、
当該ペンダントチェーンとの組み合わせにおいて請求項１〜４のいずれか１つに記載のペンダントトップのチェーン支持部分の構造を有することを特徴とする。
【００１７】
また、本発明に係るペンダントは、請求項６の記載によれば、
請求項５に記載のペンダントチェーン及びペンダントトップの組み合わせからなることを特徴とする。
【発明の効果】
【００１８】
上記構成によれば、本発明に係るペンダントトップのチェーン支持部分の構造は、ペンダントチェーンを当該チェーン支持部分に係止するためのチェーン係止領域を有している。このチェーン係止領域は、ペンダントチェーンが交互に繰り返す大外径部分と小外径部分のうち大外径部分よりも狭く、且つ、小外径部分よりも広い開口径部分を備えている。また、このチェーン係止領域は、ペンダントチェーンの１つの小外径部分とその両側の大外径部分とが構成する凹部に嵌入する係止部分を備えている。
【００１９】
上記構成によれば、ペンダントチェーンの小外径部分が、チェーン支持部分のチェーン係止領域に嵌合し、当該小外径部分の両端の大外径部分が当該チェーン係止領域に嵌入できない。このことにより、ペンダントトップがチェーン支持部分を介してペンダントチェーンの任意の位置に係止される。
【００２０】
よって、ペンダントチェーンに窪みなどの特定形状や係止用パーツなどの備品を組み合わせることなく、ペンダントチェーン上の任意の位置にペンダントトップを係止することができるペンダントトップのチェーン支持部分の構造を提供することができる。
【００２１】
また、上記構成によれば、チェーン支持部分は、チェーン係止領域に加え、ペンダントチェーンを当該チェーン支持部分に挿通するチェーン挿通領域を有している。このチェーン挿通領域は、ペンダントチェーンが具備する１対の留め具の少なくとも一方の幅径よりも広く、且つ、当該ペンダントチェーンが有する大外径と小外径のうち当該大外径よりも広い開口径部分を備えている。このことにより、ペンダントチェーンをチェーン挿通領域に自由に出し入れできるので、ペンダントチェーンとペンダントトップとを自由に組み合わせて楽しむことができる。
【００２２】
また、上記構成によれば、チェーン支持部分が有するチェーン挿通領域は、ペンダントチェーンが具備する１対の留め具の両方の幅径よりも狭く、且つ、当該ペンダントチェーンが有する大外径部分と小外径部分のうち当該大外径部分よりも広い開口径部分を備えている。このことにより、ペンダントチェーンからペンダントトップを取り外すことはできないが、ペンダントトップをペンダントチェーンの任意の位置に係止すると共に、チェーン支持部分がよりコンパクトになりペンダントトップの装飾性がより広がることとなる。
【００２３】
また、上記構成によれば、チェーン係止領域とチェーン挿通領域とが連接された１つの開口空間を構成していてもよい。このことにより、チェーン支持部分がよりコンパクトになりペンダントトップの装飾性がより広がることとなる。
【００２４】
また、上記構成によれば、上述のチェーン支持部分の構造を有するペンダントトップを提供することができる。更に、このペンダントトップとペンダントチェーンとの組み合わせからなるペンダントを提供することができる。
【図面の簡単な説明】
【００２５】
【図１】本発明に係るペンダントの一実施形態を示す概略図である。
【図２】本発明に係るペンダントの他の実施形態を示す概略図である。
【図３】アズキチェーンのチェーン本体の外形を示す写真である。
【図４】図３のチェーン本体の一部を拡大した概略図である。
【図５】カットボールチェーンのチェーン本体の外形を示す写真である。
【図６】図５のチェーン本体の一部を拡大した概略図である。
【図７】ペンダント本体とチェーン支持部分との関係を示す概略図である。
【図８】ペンダント本体とチェーン支持部分との関係を示す他の概略図である。
【図９】ペンダント本体とチェーン支持部分との関係を示す他の概略図である。
【図１０】ペンダント本体とチェーン支持部分との関係を示す他の概略図である。
【図１１】ペンダント本体とチェーン支持部分との関係を示す他の概略図である。
【図１２】ペンダント本体とチェーン支持部分との関係を示す他の概略図である。
【図１３】ペンダントトップがチェーン本体に係止された状態を示す正面概略図である。
【図１４】ペンダントトップのチェーン支持部分とチェーン本体の状態を示す斜視概略図である。
【図１５】チェーン支持部分がチェーン本体を係止した状態を示す概略図である。
【図１６】チェーン支持部分がチェーン本体を係止した状態を示す他の概略図である。
【発明を実施するための形態】
【００２６】
以下、本発明に係るペンダントトップのチェーン支持部分の構造、並びに、当該構造を有するペンダントトップ及びペンダントについて図面に従って説明する。図１は、本発明に係るペンダントの一実施形態を示す概略図である。図１において、ペンダント１０は、ペンダントチェーン２０とペンダントトップ３０とから構成されている。
【００２７】
ペンダントチェーン２０は、チェーン本体２１と一対の留め具２２、２３とからなり、チェーン本体２１の両端末の留め具２２、２３によって装着者の首に脱着可能に取り付けられる。本発明において、留め具２２、２３はどのような形式のものであってもよい。なお、図１においては、ヒキワ（引き輪）２２とダルマカン（ダルマ環）２３を示している。
【００２８】
一方、ペンダントトップ３０は、ペンダント本体４０とチェーン支持部分５０とからなり、チェーン本体２１の中央部に係止されている。本発明においては、ペンダントトップ３０をチェーン本体２１の任意の位置に係止することができ、ペンダントトップ３０が係止されたチェーン本体２１の位置からずれることがない。このことにより、チェーン本体２１もペンダントトップ３０の自重によりその位置を固定され、留め具２２、２３が自重によりペンダントトップ３０の位置までずれてくることがない。その理由については後述する。
【００２９】
なお、本発明においては、ペンダント本体４０とチェーン支持部分５０とは一体であってもよく、或いは個別のパーツを組み合わせたものであってもよい。なお、図１においては、チェーン支持部分５０はバチカン（バチ環）からなり、ペンダント本体４０とは別のパーツとしてカン（環）６０でペンダント本体４０に連結している。チェーン支持部分５０の構造については後述する。
【００３０】
また、図２は、本発明に係るペンダントの他の実施形態を示す概略図である。図２においては、ペンダントチェーン２０の留め具は省略して示している。図２において、チェーン本体２１には、メイン装飾品のペンダントトップ３０の他に、サブ装飾品のペンダントトップ７０が係止されている。サブ装飾品のペンダントトップ７０は、メイン装飾品のペンダントトップ３０と同様にペンダント本体８０とチェーン支持部分９０とからなり、チェーン本体２１上のペンダントトップ３０から離れた位置に係止されている。
【００３１】
本発明においては、ペンダントトップ３０と同様にペンダントトップ７０をチェーン本体２１の任意の位置に係止することができる。特に、サブ装飾品のペンダントトップ７０は、斜めになっているチェーン本体２１の任意の位置に係止しても、その自重でメイン装飾品のペンダントトップ３０の方向にずれていくことがない。その理由については後述する。
【００３２】
次に、本発明に係るペンダントに使用するペンダントチェーン２０の構造について説明する。一般に、ペンダントチェーン２０には、アズキチェーン、カットボールチェーン、レオンチェーン、ベネチアンチェーン、ショート＆ロングチェーン、ハートチェーン、ミニハートチェーン、ターラントチェーン、スパイクチェーン、バイブローブチェーン、ローラーシリンダー、クリスクロスチェーンなど多くの種類がある。
【００３３】
本発明においては、これらの中でもペンダントチェーン２０の太さが交互に変化するように大外径部分と小外径部分とを繰り返す構造であることが好ましい。ここでは、最も一般的なアズキチェーンとカットボールチェーンとについて説明する。
【００３４】
まず、アズキチェーンについて説明する。図３は、アズキチェーンのチェーン本体の外形を示す写真である。図３に示すようにアズキチェーンは、環状の部品（環状体）が繋がった構造をしている。図４は、図３のチェーン本体の一部を拡大した概略図である。図４において、チェーン本体２１は、複数の環状体２４が連結されて線状に構成されている。例えば、環状体２４ａ、２４ｃ、２４ｅと、それらの間にある環状体２４ｂ、２４ｄとは互いに９０°回転した状態で連結している。
【００３５】
このような状態において、チェーン本体２１を一定の横方向（例えば、図示方向）から見ると、環状体２４ｂ、２４ｄの幅方向の外径の部分（以下「大外径部分Ｌ１」という）と、環状体２４ａ、２４ｃ、２４ｅの厚みの部分（以下「小外径部分Ｌ２」という）とが交互に繰り返されてチェーン本体２１の外径を構成している。また、チェーン本体２１をその軸を中心に９０°回転しても、同様に大外径部分Ｌ１と小外径部分Ｌ２とが交互に繰り返されてチェーン本体２１の外径を構成している。
【００３６】
なお、アズキチェーンにおいて環状体２４が楕円形の場合には、その外径のうち長径はチェーン本体２１の軸方向に配向するので、上記大外径部分Ｌ１は環状体の外径のうち短径（幅径）となる。また、図４において、１つの小外径部分Ｌ２とその両側の大外径部分Ｌ１とが構成する空間（凹部Ｓ）において、チェーン本体２１の軸方向の開口部分の幅（位置により変化する）を開口幅Ｌ３とする。この開口幅Ｌ３は、環状体２４ｂ、２４ｄの幅方向のピークの接線の間隔Ｌ４よりも狭い。この開口幅Ｌ３の役割については後述する。
【００３７】
次に、カットボールチェーンについて説明する。図５は、カットボールチェーンのチェーン本体の外形を示す写真である。図５に示すようにカットボールチェーンは、球状の部品（球状体）が連結部材（連結体）で繋がった構造をしている。図６は、図５のチェーン本体の一部を拡大した概略図である。図６において、チェーン本体２５は、複数の球状体２６が連結体２７で連結されて線状に構成されている。例えば、球状体２６ａ、２６ｂ、２６ｃ、２６ｄは、それらの間にある連結体２７ａ、２７ｂ、２７ｃで連結している。
【００３８】
このような状態において、チェーン本体２５を横方向（図示方向）から見ると、球状体２６ａ、２６ｂ、２６ｃ、２６ｄの外径の部分（大外径部分Ｌ１）と、連結体２７ａ、２７ｂ、２７ｃの外径の部分（小外径部分Ｌ２）とが交互に繰り返されてチェーン本体２５の外径を構成している。また、チェーン本体２５は、いずれの横方向から見ても、同様に大外径部分Ｌ１と小外径部分Ｌ２とが交互に繰り返されてチェーン本体２５の外径を構成している。
【００３９】
また、図６において、１つの小外径部分Ｌ２とその両側の大外径部分Ｌ１とが構成する空間（凹部Ｓ）において、チェーン本体２５の軸方向の開口部分の幅（位置により変化する）を開口幅Ｌ３とする。この開口幅Ｌ３は、球状体２６ｂ、２６ｃのピークの接線の間隔Ｌ４よりも狭い。この開口幅Ｌ３の役割については後述する。
【００４０】
次に、本発明に係るペンダントトップにおけるペンダント本体とチェーン支持部分との関係について説明する。上述のように、ペンダント本体とチェーン支持部分とは一体であってもよく、或いは個別のパーツを組み合わせたものであってもよい。図７〜図１２は、それぞれが異なってペンダント本体とチェーン支持部分との関係を示す概略図である。以下、それぞれについて説明する。
【００４１】
図７の概略図は、上述の図１及び図２に示したペンダントトップ３０に関するものである。なお、図７において（１）は正面図、（２）は側面図である。上述のように、ペンダントトップ３０は、ペンダント本体４０とチェーン支持部分５０とからなる。また、ペンダントトップ３０は、個別のパーツであるペンダント本体４０とチェーン支持部分５０とを組み合わせたものである。このチェーン支持部分５０は、ペンダント本体４０をペンダントチェーン２０に吊下げるバチカンからなり、カン６０でペンダント本体４０に連結している。
【００４２】
図７において、環状のチェーン支持部分（バチカン）５０は、その環の内部にチェーン係止領域５０ａとチェーン挿通領域５０ｂとが連接された１つの開口空間を構成している。チェーン係止領域５０ａは、チェーン本体２１が交互に繰り返す大外径部分Ｌ１と小外径部分Ｌ２のうち、大外径部分Ｌ１よりも狭く、且つ、小外径部分Ｌ２よりも広い開口径部分を有している。
【００４３】
このような構成において、チェーン本体２１の小外径部分Ｌ２がチェーン係止領域５０ａに嵌合し、当該小外径部分Ｌ２の両端の大外径部分Ｌ１が当該チェーン係止領域５０ａに嵌入できない。このことにより、ペンダントトップ３０がチェーン支持部分５０を介してチェーン本体２１の任意の位置に係止される。なお、チェーン係止領域５０ａは、チェーン本体２１の１つの小外径部分Ｌ１とその両側の大外径部分Ｌ２とが構成する凹部Ｓに嵌入する係止部分５０ｃを備えている。このことについては後述する。
【００４４】
一方、チェーン挿通領域５０ｂは、チェーン本体２１が交互に繰り返す大外径部分Ｌ１と小外径部分Ｌ２のうち、大外径部分Ｌ１よりも広い開口径部分を有している。また、チェーン挿通領域５０ｂは、チェーン本体２１がその両末端に具備する１対の留め具、例えば、上述のヒキワ２２とダルマカン２３などの少なくとも一方の幅径よりも広い開口径部分を有している。
【００４５】
このことにより、ペンダントチェーン２０のチェーン本体２１及び留め具の少なくとも一方（ヒキワ２２やダルマカン２３）がチェーン挿通領域５０ｂを挿通することができるので、ペンダントチェーン２０とペンダントトップ３０との組み合わせを自由に変えることができる。
【００４６】
なお、上述した図７の構成の変形例として、チェーン挿通領域５０ｂがチェーン本体２１の１対の留め具の両方（例えば、ヒキワ２２とダルマカン２３）の幅径よりも狭い開口径部分を有しているようにしてもよい。この場合には、ペンダントチェーンからペンダントトップを取り外すことはできないが、ペンダントトップをペンダントチェーンの任意の位置に係止できる。更に、ペンダントトップのチェーン支持部分をよりコンパクトに設計できるので、ペンダントトップの装飾性がより広がることとなる。
【００４７】
図８の概略図は、上述の図７に示したペンダントトップ３０に関する変形例である。なお、図８において（１）は正面図、（２）は側面図である。図８においても、ペンダントトップ３１は、ペンダント本体４１とチェーン支持部分５１とからなる。また、ペンダントトップ３１は、ペンダント本体４１の背面にチェーン支持部分５１が一体的に固定されている。
【００４８】
図８においても、上述の図７と同様にチェーン支持部分５１は、その環の内部にチェーン係止領域５１ａとチェーン挿通領域５１ｂとが連接された１つの開口空間を構成している。チェーン係止領域５１ａは、チェーン本体２１が交互に繰り返す大外径部分Ｌ１と小外径部分Ｌ２のうち、大外径部分Ｌ１よりも狭く、且つ、小外径部分Ｌ２よりも広い開口径部分を有している。
【００４９】
このような構成において、チェーン本体２１の小外径部分Ｌ２がチェーン係止領域５１ａに嵌合し、当該小外径部分Ｌ２の両端の大外径部分Ｌ１が当該チェーン係止領域５１ａに嵌入できない。このことにより、ペンダントトップ３１がチェーン支持部分５１を介してチェーン本体２１の任意の位置に係止される。なお、チェーン係止領域５１ａは、チェーン本体２１の１つの小外径部分Ｌ１とその両側の大外径部分Ｌ２とが構成する凹部Ｓに嵌入する係止部分５１ｃを備えている。
【００５０】
一方、チェーン挿通領域５１ｂは、チェーン本体２１が交互に繰り返す大外径部分Ｌ１と小外径部分Ｌ２のうち、大外径部分Ｌ１よりも広い開口径部分を有している。また、チェーン挿通領域５１ｂは、チェーン本体２１がその両末端に具備する１対の留め具、例えば、上述のヒキワ２２とダルマカン２３などの少なくとも一方の幅径よりも広い開口径部分を有している。
【００５１】
このことにより、ペンダントチェーン２０のチェーン本体２１及び留め具の少なくとも一方（ヒキワ２２やダルマカン２３）がチェーン挿通領域５１ｂを挿通することができるので、ペンダントチェーン２０とペンダントトップ３１との組み合わせを自由に変えることができる。
【００５２】
なお、上述した図８の構成の変形例として、チェーン挿通領域５１ｂがチェーン本体２１の１対の留め具の両方（例えば、ヒキワ２２とダルマカン２３）の幅径よりも狭い開口径部分を有しているようにしてもよい。この場合には、ペンダントチェーンからペンダントトップを取り外すことはできないが、ペンダントトップをペンダントチェーンの任意の位置に係止できる。更に、ペンダントトップのチェーン支持部分をよりコンパクトに設計できるので、ペンダントトップの装飾性がより広がることとなる。
【００５３】
図９の概略図は、上述の図８に示したペンダントトップ３１に関する変形例である。なお、図９において（１）は正面図、（２）は側面図である。図９においても、ペンダントトップ３２は、ペンダント本体４２とチェーン支持部分５２とからなる。また、ペンダントトップ３２は、ペンダント本体４２の背面にチェーン支持部分５２が一体的に固定されている。
【００５４】
しかし、図９においては、上述の図８と異なりチェーン支持部分５２は、閉鎖された環状を構成せず、チェーン係止領域５２ａの下方には開放された開口部５２ｄが設けられている。チェーン係止領域５２ａは、上述の図８と同様にチェーン本体２１が交互に繰り返す大外径部分Ｌ１と小外径部分Ｌ２のうち、大外径部分Ｌ１よりも狭く、且つ、小外径部分Ｌ２よりも広い開口径部分を有している。
【００５５】
このような構成において、チェーン本体２１の小外径部分Ｌ２がチェーン係止領域５２ａに嵌合し、当該小外径部分Ｌ２の両端の大外径部分Ｌ１が当該チェーン係止領域５２ａに嵌入できない。このことにより、ペンダントトップ３２がチェーン支持部分５２を介してチェーン本体２１の任意の位置に係止される。なお、チェーン係止領域５２ａは、チェーン本体２１の１つの小外径部分Ｌ１とその両側の大外径部分Ｌ２とが構成する凹部Ｓに嵌入する係止部分５２ｃを備えている。
【００５６】
一方、チェーン係止領域５２ａの下方の開口部５２ｄは、チェーン係止領域５２ａを外部に開放している。このことにより、チェーン本体２１を容易にチェーン係止領域５２ａに導入することができるので、ペンダントチェーン２０とペンダントトップ３１との組み合わせを自由に変えることができる。
【００５７】
図１０の概略図は、上述の図７〜図８とは異なる構成を有したものである。なお、図１０において（１）は正面図、（２）は側面図である。図１０においては、ペンダントトップ３３は、ペンダント本体４３とチェーン支持部分５３とからなるが、チェーン支持部分５３がペンダント本体４３の一部として組み込まれている。
【００５８】
図１０においては、上述の図７及び図８と同様にチェーン支持部分５３は、チェーン係止領域５３ａとチェーン挿通領域５３ｂとが連接された１つの開口空間を構成している。チェーン係止領域５３ａは、チェーン本体２１が交互に繰り返す大外径部分Ｌ１と小外径部分Ｌ２のうち、大外径部分Ｌ１よりも狭く、且つ、小外径部分Ｌ２よりも広い開口径部分を有している。
【００５９】
このような構成において、チェーン本体２１の小外径部分Ｌ２がチェーン係止領域５３ａに嵌合し、当該小外径部分Ｌ２の両端の大外径部分Ｌ１が当該チェーン係止領域５３ａに嵌入できない。このことにより、ペンダントトップ３３がチェーン支持部分５３を介してチェーン本体２１の任意の位置に係止される。なお、チェーン係止領域５３ａは、チェーン本体２１の１つの小外径部分Ｌ１とその両側の大外径部分Ｌ２とが構成する凹部Ｓに嵌入する係止部分５３ｃを備えている。
【００６０】
一方、チェーン挿通領域５３ｂは、チェーン本体２１が交互に繰り返す大外径部分Ｌ１と小外径部分Ｌ２のうち、大外径部分Ｌ１よりも広い開口径部分を有している。また、チェーン挿通領域５３ｂは、チェーン本体２１がその両末端に具備する１対の留め具、例えば、上述のヒキワ２２とダルマカン２３などの少なくとも一方の幅径よりも広い開口径部分を有している。
【００６１】
このことにより、ペンダントチェーン２０のチェーン本体２１及び留め具の少なくとも一方（ヒキワ２２やダルマカン２３）がチェーン挿通領域５３ｂを挿通することができるので、ペンダントチェーン２０とペンダントトップ３３との組み合わせを自由に変えることができる。
【００６２】
なお、上述した図１０の構成の変形例として、チェーン挿通領域５３ｂがチェーン本体２１の１対の留め具の両方（例えば、ヒキワ２２とダルマカン２３）の幅径よりも狭い開口径部分を有しているようにしてもよい。この場合には、ペンダントチェーンからペンダントトップを取り外すことはできないが、ペンダントトップをペンダントチェーンの任意の位置に係止できる。更に、ペンダントトップのチェーン支持部分をよりコンパクトに設計できるので、ペンダントトップの装飾性がより広がることとなる。
【００６３】
図１１の概略図は、上述の図１０に示したペンダントトップ３３に関する変形例である。なお、図１１において（１）は正面図、（２）は側面図である。図１１においても、ペンダントトップ３４は、ペンダント本体４４とチェーン支持部分５４とからなり、チェーン支持部分５４がペンダント本体４４の一部として組み込まれている。
【００６４】
図１１においては、上述の図１０と同様にチェーン支持部分５４は、チェーン係止領域５４ａとチェーン挿通領域５４ｂとが連接された１つの開口空間を構成している。チェーン係止領域５４ａは、チェーン本体２１が交互に繰り返す大外径部分Ｌ１と小外径部分Ｌ２のうち、大外径部分Ｌ１よりも狭く、且つ、小外径部分Ｌ２よりも広い開口径部分を有している。
【００６５】
このような構成において、チェーン本体２１の小外径部分Ｌ２がチェーン係止領域５４ａに嵌合し、当該小外径部分Ｌ２の両端の大外径部分Ｌ１が当該チェーン係止領域５４ａに嵌入できない。このことにより、ペンダントトップ３４がチェーン支持部分５４を介してチェーン本体２１の任意の位置に係止される。なお、チェーン係止領域５４ａは、チェーン本体２１の１つの小外径部分Ｌ１とその両側の大外径部分Ｌ２とが構成する凹部Ｓに嵌入する係止部分５４ｃを備えている。
【００６６】
一方、図１１においては、チェーン挿通領域５４ｂは、チェーン本体２１が交互に繰り返す大外径部分Ｌ１と小外径部分Ｌ２のうち、大外径部分Ｌ１よりも十分に広い開口径部分を有している。また、チェーン挿通領域５４ｂが十分に広いので、チェーン本体２１がその両末端に具備する１対の留め具、例えば、上述のヒキワ２２とダルマカン２３などの幅径よりも十分に広い開口径部分を有している。
【００６７】
このことにより、ペンダントチェーン２０のチェーン本体２１及び留め具（ヒキワ２２やダルマカン２３）がチェーン挿通領域５４ｂを挿通することができるので、ペンダントチェーン２０とペンダントトップ３３との組み合わせを自由に変えることができる。
【００６８】
図１２の概略図は、上述の図８に示したペンダントトップ３１に関する変形例である。なお、図１２において（１）は背面図、（２）は側面図、（３）は背面斜視図である。図１２においても、ペンダントトップ３５は、ペンダント本体４５とチェーン支持部分５５とからなる。また、ペンダントトップ３５は、ペンダント本体４５の背面にチェーン支持部分５５が一体的に固定されている。
【００６９】
しかし、図１２においては、上述の図８と異なりチェーン支持部分５２は、チェーン係止領域５５ａとチェーン挿通領域５５ｂとが連接された１つの開口空間を構成することなく、それぞれ独立して別な位置に固定されている。具体的には、ペンダント本体４５の背面には、上部中央に１つのチェーン係止領域５５ａが固定され、その左右に２つのチェーン挿通領域５５ｂがそれぞれ独立して固定され、これらにチェーン本体２１が係止されている（図１２（３）参照）。
【００７０】
チェーン係止領域５５ａは、上述の図９と同様に閉鎖された環状を構成せず、チェーン係止領域５５ａの下方には開放された開口部５５ｄが設けられている。チェーン係止領域５５ａは、上述の図８と同様にチェーン本体２１が交互に繰り返す大外径部分Ｌ１と小外径部分Ｌ２のうち、大外径部分Ｌ１よりも狭く、且つ、小外径部分Ｌ２よりも広い開口径部分を有している。
【００７１】
このような構成において、チェーン本体２１の小外径部分Ｌ２がチェーン係止領域５５ａに嵌合し、当該小外径部分Ｌ２の両端の大外径部分Ｌ１が当該チェーン係止領域５５ａに嵌入できない。このことにより、ペンダントトップ３５がチェーン支持部分５５のチェーン係止領域５５ａを介してチェーン本体２１の任意の位置に係止される。なお、チェーン係止領域５２ａは、チェーン本体２１の１つの小外径部分Ｌ１とその両側の大外径部分Ｌ２とが構成する凹部Ｓに嵌入する係止部分５５ｃを備えている。
【００７２】
一方、図１２においては、２つのチェーン挿通領域５５ｂは、それぞれ独立して閉鎖された環状を構成してペンダント本体４５の背面のチェーン係止領域５５ａの左右に固定されている。２つのチェーン挿通領域５５ｂは、チェーン本体２１が交互に繰り返す大外径部分Ｌ１と小外径部分Ｌ２のうち、大外径部分Ｌ１よりも広い開口径部分を有している。また、２つのチェーン挿通領域５５ｂは、チェーン本体２１がその両末端に具備する１対の留め具、例えば、上述のヒキワ２２とダルマカン２３などの少なくとも一方の幅径よりも広い開口径部分を有している。
【００７３】
このことにより、ペンダントチェーン２０のチェーン本体２１及び留め具の少なくとも一方（ヒキワ２２やダルマカン２３）が２つのチェーン挿通領域５５ｂを挿通することができるので、ペンダントチェーン２０とペンダントトップ３５との組み合わせを自由に変えることができる。なお、図１２の構成においては、図９の構成と異なり、装着中に何らかのトラブルでペンダントトップ３５がチェーン係止領域５５ａから外れた場合でも、チェーン挿通領域５５ｂがペンダントトップ３５をペンダントチェーン２０に保持して紛失することがない。
【００７４】
なお、上述した図１２の構成の変形例として、２つのチェーン挿通領域５５ｂがチェーン本体２１の１対の留め具の両方（例えば、ヒキワ２２とダルマカン２３）の幅径よりも狭い開口径部分を有しているようにしてもよい。この場合には、ペンダントチェーンからペンダントトップを取り外すことはできないが、ペンダントトップをペンダントチェーンの任意の位置に係止できる。更に、ペンダントトップのチェーン支持部分をよりコンパクトに設計できるので、ペンダントトップの装飾性がより広がることとなる。
【００７５】
次に、上述のペンダントトップのチェーン支持部分について、チェーン係止領域とチェーン挿通領域の構成と役割について更に詳細に説明する。図１３は、ペンダントトップがチェーン本体に係止された状態を示す正面概略図である。図１３において、ペンダントトップ３０は、上述の図７で説明したものであり、個別のパーツであるペンダント本体４０とチェーン支持部分（バチカン）５０とを組み合わせて、カン６０によって連結されている。また、チェーン本体２１は、アズキチェーンからなるものであり、チェーン支持部分５０の上部に確実に係止されている。
【００７６】
図１４は、ペンダントトップのチェーン支持部分とチェーン本体の状態を示す斜視概略図である。なお、図１４においては、ペンダントトップ３０のチェーン支持部分（バチカン）５０のみを記載し、ペンダント本体４０とカン６０とを省略している。チェーン支持部分５０は、閉鎖した環状でありその環の内部にチェーン係止領域５０ａとチェーン挿通領域５０ｂとが連接された１つの開口空間を構成している。また、図１４においては、チェーン本体２１がアズキチェーンであり、一定の横方向から見ると、環状体２４の大外径部分Ｌ１と小外径部分Ｌ２とが交互に繰り返されてチェーン本体２１の外径を構成している。
【００７７】
図１４（１）は、チェーン支持部分５０のチェーン挿通領域５０ｂにチェーン本体２１が挿通されている状態を示している。上述のように、チェーン挿通領域５０ｂは、チェーン本体２１が交互に繰り返す大外径部分Ｌ１と小外径部分Ｌ２のうち、大外径部分Ｌ１よりも広い開口径部分（図示Ｌ５）を有している。また、開口径部分Ｌ５は、チェーン本体２１がその両末端に具備する１対の留め具（図示せず）、例えば、上述のヒキワ２２とダルマカン２３などの少なくとも一方の幅径よりも広い。
【００７８】
このように、開口径部分Ｌ５がチェーン本体２１の実質的な最大外径である環状体２４の大外径部分Ｌ１や留め具の幅径よりも広いことにより、ペンダントチェーン２０のチェーン本体２１及び留め具の少なくとも一方（ヒキワ２２やダルマカン２３）がチェーン挿通領域５０ｂを挿通することができる。よって、ペンダントチェーン２０とペンダントトップ３０との組み合わせを自由に変えることができる。
【００７９】
また、図１４（２）は、チェーン支持部分５０のチェーン係止領域５０ａにチェーン本体２１が嵌合して係止された状態を示している。上述のように、チェーン係止領域５０ａは、チェーン本体２１が交互に繰り返す大外径部分Ｌ１と小外径部分Ｌ２のうち、大外径部分Ｌ１よりも狭く、且つ、小外径部分Ｌ２よりも広い開口径部分（図示Ｌ６）を有している。
【００８０】
このように、開口径部分Ｌ６がチェーン本体２１の実質的な最小外径である環状体２４の小外径部分Ｌ２よりも広いことにより、チェーン本体２１の小外径部分Ｌ２（図１４において環状体２４ｃの小外径部分Ｌ２）がチェーン係止領域５０ａに嵌合することができる。一方、開口径部分Ｌ６がチェーン本体２１の実質的な最大外径である環状体２４の大外径部分Ｌ１よりも狭い広いことにより、環状体２４ｃの両端の環状体２４ｂ、２４ｄの大外径部分Ｌ１が当該チェーン係止領域５０ａに嵌入できない。
【００８１】
このことにより、ペンダントトップ３０は、チェーン支持部分５０のチェーン係止領域５０ａを介して、チェーン本体２１の環状体２４ｃの部分でペンダントチェーン２０に確実に係止される。よって、ペンダントトップ３０は、ペンダントチェーン２０の任意の位置、例えば、チェーン本体２１が斜めになった部分にも、ずれることなく係止することができる。
【００８２】
次に、ペンダントトップをチェーン本体に確実に係止するために、チェーン係止領域が具備する係止部分について説明する。図１５は、チェーン支持部分がチェーン本体を係止した状態を示す概略図である。図１５において（１）は平面図、（２）は正面図、（３）は断面図である。
【００８３】
図１５においては、ペンダントトップ３０のチェーン支持部分（バチカン）５０のみを記載しペンダント本体４０とカン６０とを省略している。なお、図１５のチェーン支持部分５０は、上述の図１４と同様の形状をしたものである。また、チェーン本体２１は、上述の図１４と同様にアズキチェーンである。
【００８４】
図１５（１）は、チェーン本体２１にチェーン支持部分５０が係止した状態を上方からみた平面図であり、図１５（２）は、正面から見た正面図である。図１５（１）（２）において、チェーン本体２１は、環状体２４ｃの部分でチェーン支持部分５０のチェーン係止領域５０ａに嵌合している。また、環状体２４ｃの両端の環状体２４ｂ、２４ｄは、いずれも大外径部分Ｌ１によってチェーン係止領域５０ａに嵌入できない。
【００８５】
一方、図１５（３）は、図１５（２）のＸ１−Ｘ１部分を下方から見た断面図である。図１５（３）において、開口幅Ｌ３は、上述のように、環状体２４ｃの小外径部分Ｌ２とその両側の環状体２４ｂ、２４ｄの大外径部分Ｌ１とが構成する空間（凹部Ｓ）の開口（位置により変化する）を示している。上述のように、この開口幅Ｌ３は、環状体２４ｂ、２４ｄの幅方向のピークの接線の間隔Ｌ４よりも狭い。
【００８６】
図１５（３）においては、チェーン支持部分５０の外幅Ｌ７が凹部Ｓの開口幅Ｌ３よりも狭いので、チェーン支持部分５０は、その上部が凹部Ｓに入り込むことができる。この状態において、図１５（３）の断面部分全体は、チェーン係止領域５０ａが具備する係止部分５０ｃとなる。よって、チェーン支持部分５０の係止部分５０ｃがチェーン本体２１の凹部Ｓに入り込むことにより、環状体２４ｃがチェーン係止領域５０ａに嵌合すると共に、環状体２４ｃの両端の環状体２４ｂ、２４ｄがチェーン係止領域５０ａに嵌入できない。
【００８７】
次に、チェーン係止領域が具備する係止部分の他の例を説明する。図１６は、チェーン支持部分がチェーン本体を係止した状態を示す他の概略図である。図１５において（１）は平面図、（２）は正面図、（３）は断面図である。
【００８８】
図１６においても、上述の図１５と同様に、ペンダントトップ３０のチェーン支持部分５６のみを記載しペンダント本体とカンとを省略している。なお、図１６のチェーン支持部分５６は、上述の図１５よりも幅の広い形状（外幅Ｌ８）をしたものである。また、チェーン本体２１は、上述の図１５と同様にアズキチェーンである。
【００８９】
図１６（１）は、チェーン本体２１にチェーン支持部分５６が係止した状態を上方からみた平面図であり、図１６（２）は、正面から見た正面図である。図１６（１）（２）においては、上述の図１５と異なり、チェーン本体２１は、環状体２４ｂ、２４ｃ、２４ｄ（図１６（１）（２）においては、環状体２４ｃは見えず）の部分でチェーン支持部分５６のチェーン係止領域５６ａに嵌合しているように見える。すなわち、環状体２４ｃの両端の環状体２４ｂ、２４ｄは、いずれも大外径部分Ｌ１によってもチェーン係止領域５６ａに嵌入しているように見える。
【００９０】
一方、図１６（３）は、図１６（２）のＸ２−Ｘ２部分を下方から見た断面図である。図１６（３）において、開口幅Ｌ３は、上述の図１５と同様に、環状体２４ｃの小外径部分Ｌ２とその両側の環状体２４ｂ、２４ｄの大外径部分Ｌ１とが構成する空間（凹部Ｓ）の開口（位置により変化する）を示している。上述のように、この開口幅Ｌ３は、環状体２４ｂ、２４ｄの幅方向のピークの接線の間隔Ｌ４よりも狭い。しかし、図１６においては、チェーン支持部分５６の外幅Ｌ８は、間隔Ｌ４よりも広い。
【００９１】
そこで、図１６（３）において、チェーン支持部分５６の外幅Ｌ８に対して内側に突起した部分を形成する。この突起した部分は、チェーン支持部分５６の係止部分５６ｃを構成する。図１６（３）から分かるように、係止部分５６ｃは外幅Ｌ８よりも幅の狭い突起であり、この係止部分５６ｃが凹部Ｓの開口幅Ｌ３よりも狭いので凹部Ｓに入り込むことができる。
【００９２】
よって、チェーン支持部分５６の係止部分５６ｃがチェーン本体２１の凹部Ｓに入り込むことにより、環状体２４ｃがチェーン係止領域５６ａに嵌合すると共に、環状体２４ｃの両端の環状体２４ｂ、２４ｄがチェーン係止領域５６ａに嵌入できない。
【００９３】
以上説明したように、本発明においては、ペンダントチェーンに窪みなどの特定形状や係止用パーツなどの備品を組み合わせることなく、ペンダントチェーン上の任意の位置にペンダントトップを係止することができるペンダントトップのチェーン支持部分の構造、並びに、当該構造を有するペンダントトップ及びペンダントを提供することができる。また、本発明においては、ペンダントチェーンとペンダントトップとを自由に組み合わせて楽しむことができるペンダントトップのチェーン支持部分の構造、並びに、当該構造を有するペンダントトップ及びペンダントを提供することができる。
【００９４】
なお、本発明の実施にあたり、上記実施形態に限らず、次のような種々の変形例が挙げられる。
（１）上記実施形態においては、主にアズキチェーンを例として説明するものであるが、これに限るものではなく、大外径部分と小外径部分とが交互に繰り返す構造を有するペンダントチェーンであれば、どのようなタイプのものであってもよい。
（２）上記実施形態においては、主にチェーン係止領域とチェーン挿通部分とが連通して一体となったチェーン支持部分について説明するものであるが、これに限るものではなく、チェーン係止領域とチェーン挿通部分とが分離したチェーン支持部分であってもよく、或いは、チェーン係止領域のみを有するチェーン支持部分であってもよい。
【符号の説明】
【００９５】
１０…ペンダント、２０…ペンダントチェーン、
２１、２５…チェーン本体、２２、２３…留め具、２４、２４ａ〜２４ｅ…環状体、
２６、２６ａ〜２６ｄ…球状体、２７、２７ａ〜２７ｃ…連結体、
３０〜３５、７０…ペンダントトップ、４０〜４５、８０…ペンダント本体、
５０〜５６、９０…チェーン支持部分、５０ａ〜５６ａ…チェーン係止領域、
５０ｂ〜５６ｂ…チェーン挿通領域、５０ｃ〜５６ｃ…係止部分、
５２ｄ、５５ｄ…開口部、６０…カン（環）、
Ｌ１…環状体の大外径部分、Ｌ２…環状体の小外径部分、Ｌ３…凹部の開口幅、
Ｌ４…環状体ピークの接線の間隔、Ｌ５…チェーン挿通領域の開口径部分、
Ｌ６…チェーン係止領域の開口径部分、Ｌ７、Ｌ８…チェーン支持部分の外幅、
Ｓ…凹部。
【図１】
2019195460.tif 000003
【図２】
2019195460.tif 000004
【図３】
2019195460.tif 000005
【図４】
2019195460.tif 000006
【図５】
2019195460.tif 000007
【図６】
2019195460.tif 000008
【図７】
2019195460.tif 000009
【図８】
2019195460.tif 000010
【図９】
2019195460.tif 000011
【図１０】
2019195460.tif 000012
【図１１】
2019195460.tif 000013
【図１２】
2019195460.tif 000014
【図１３】
2019195460.tif 000015
【図１４】
2019195460.tif 000016
【図１５】
2019195460.tif 000017
【図１６】
2019195460.tif 000018